(57)【要約】【課題】配線部材のヨレを防止し、信頼性、作業性等を向上させることのできる電子機器、電子機器の組み立て方法を提供することを目的とする。【解決手段】一端を湾曲した液晶表示パネル３に接続し、これをケース２内に折り曲げて収納する配線部材３０に、ヨレ防止機能を有する構成とした。このようなヨレ防止機能は、回路ブロック４のコネクタ部２２を略Ｖ字形状とし、ここに配線部材３０を略Ｖ字状に折り曲げて接続したり、配線部材３０を、湾曲した液晶表示パネル３側で熱変形させること等で実現できる。【選択図】    図１
2004253559.tif 000002
【特許請求の範囲】
【請求項１】
上下に積層され、少なくとも１枚が湾曲した２枚の基板と、
前記２枚の基板どうしを電気的に接続する、可撓性を有した帯状の配線部材と、
湾曲した形状の前記基板に接続することで前記配線部材に作用する応力を緩和する応力緩和部と、
を備えることを特徴とする電子機器。
【請求項２】
前記応力緩和部として、前記基板のいずれか一方に、当該基板上で折曲形状または湾曲形状とされたコネクタ部が形成され、
前記配線部材は、前記コネクタ部の折曲形状または湾曲形状に対応して折曲または湾曲して接続されていることを特徴とする請求項１に記載の電子機器。
【請求項３】
前記応力緩和部として、帯状の前記配線部材に、当該配線部材に作用する前記応力を緩和する方向に湾曲した変形部が形成されていることを特徴とする請求項１または２に記載の電子機器。
【請求項４】
三次元形状に湾曲した表示部を有する電子機器であって、
前記表示部を構成し、湾曲した表示パネルと、
前記表示パネルを制御するパネル状の回路ブロックと、
前記表示パネルおよび前記回路ブロックを収容し、前記電子機器の外殻を形成するケースと、
前記ケース内で、前記表示パネルと前記回路ブロックを電気的に接続するとともに、中間部が前記ケース内で折り返された帯状の配線部材と、
前記配線部材が前記表示パネルの湾曲部分に接続されることで当該配線部材に生じるたわみを吸収するたわみ吸収部と、
を備えることを特徴とする電子機器。
【請求項５】
前記たわみ吸収部として、前記配線部材に、当該配線部材の面外に向けて略球面状に湾曲した湾曲部が形成されていることを特徴とする請求項４に記載の電子機器。
【請求項６】
前記配線部材は、前記表示パネル、前記回路ブロックに対し、ヒートシールによって接続されていることを特徴とする請求項４または５に記載の電子機器。
【請求項７】
前記電子機器は時計であり、
前記ケースは、前記表示部側に開口した有底状とされ、当該ケースの内部に前記回路ブロックおよび前記表示パネルが収納された状態で、当該ケースの開口部分に三次元形状の表示部カバーが装着されていることを特徴とする請求項４から６のいずれかに記載の電子機器。
【請求項８】
平面状の第一の回路パネルと湾曲した第二の回路パネルを有した電子機器の組み立て方法であって、
前記第一の回路パネルに帯状の配線部材の一端を接続する工程と、
前記配線部材を加熱し、当該配線部材の他端部を湾曲変形させる工程と、
前記配線部材の他端を前記第二の回路パネルに接続する工程と、
を有することを特徴とする電子機器の組み立て方法。
【発明の詳細な説明】
【０００１】
【発明の属する技術分野】
本発明は、腕時計をはじめとする各種の電子機器、電子機器の組み立て方法に関する。
【０００２】
【従来の技術】
従来、腕時計をはじめとする電子機器において、液晶表示パネルを用いた表示部を備える場合、この液晶表示パネルは平面状であり、またその表示部も平面状のガラスで覆われているのが通常である。
【０００３】
これに対し、近年、液晶表示パネルを湾曲させ、その表示部のガラスも湾曲面状としたものが出現している。
図９は、そのような腕時計１の概略構成を示すものであり、この図９に示すように、腕時計１は、ケース２内に、時刻等の情報を表示する液晶表示パネル３と、この液晶表示パネル３を制御する回路ブロック４とを備えている。
液晶表示パネル３は、フィルム状で、その背面側に図示しないＥＬパネルを備えている。また、これら液晶表示パネル３とＥＬパネル（図示無し）は、所定の湾曲形状に成形された下部パネル枠５と上部パネル枠６との間に挟持されることで、湾曲面状とされている。
回路ブロック４は、回路基板上にＩＣ等の素子が実装されたもので、回路のせ台７上に保持されている。
そして、液晶表示パネル３およびＥＬパネル（図示無し）を保持した下部パネル枠５および上部パネル枠６と、回路ブロック４を保持した回路のせ台７は、モジュール固定板８により一体に保持され、これによって腕時計１のムーブメント９が構成されている。
このようなムーブメント９は、ケース２に形成された開口部１０内に収容され、開口部１０を塞ぐように設けられるガラス１１により、ムーブメント９の液晶表示パネル３が、その表示部分を透過露出させるようになっている。
【０００４】
このような腕時計１等では、ガラス１１が湾曲面状を形成することで従来にないデザインを提供できるほか、液晶表示パネル３における表示面積を大型化できるといった特徴が得られる（例えば、特許文献１参照。）。
【０００５】
【特許文献１】
特開２００２−２５０９０７号公報（段落番号００１２〜００１９、第１図）
【０００６】
【発明が解決しようとする課題】
ところで、図９に示したような腕時計１において、液晶表示パネル３と回路ブロック４を接続する配線部材１２にヨレ１００等が生じるという問題がある。
すなわち、このような配線部材１２には、所定の配線パターンが形成され、所定本数の配線に対応した幅を有する帯状のプリント基板が用いられるが、上記したように液晶表示パネル３を湾曲させると、当然、この配線部材１２も、液晶表示パネル３に接続される部分１２ａは、断面略円弧状に湾曲することになる。
このような配線部材１２は、ヒートシールコネクタと称される部材を介し、液晶表示パネル３や回路ブロック４に接続される。ヒートシールコネクタは、ポリエステルフィルム上に導電性材料からなる配線パターンが形成され、これが絶縁性を有した熱溶融性の樹脂で被覆された構成となっている。このヒートシールコネクタは、配線部材１２の両端部に予め溶着されている。配線部材１２の取付工程において、ヒートシールコネクタの端部を液晶表示パネル３や回路ブロック４の所定位置に位置決めし、ヒータで熱圧着すると、熱溶融性の樹脂が溶融して配線パターンが露出し、液晶表示パネル３や回路ブロック４の配線と、配線部材１２の端部に設けられたヒートシールコネクタの配線とが接続されるようになっている。
【０００７】
このとき、配線部材１２を湾曲した液晶表示パネル３に接続すると、その部分１２ａが略円弧状に湾曲しているため、配線部材１２にヨレ１００が生じるのである。
また、このような部分では、配線部材１２と液晶表示パネル３の、ヒートシール部分（接続部分）にも応力が集中し、配線部材１２の接続不良等が生じる可能性もある。
この他、配線部材１２を湾曲した液晶表示パネル３に接続する際には、その位置決め固定等も、略直線状の接続部分に比較すれば非常に面倒であり、作業性に劣る、加工不良が生じる可能性が高い、等の問題点がある。
さらに、配線部材１２を液晶表示パネル３、回路ブロック４に接続した後には、帯状の配線部材１２を折り曲げてケース２の開口部１０内に収める必要があるが、このときに配線部材１２にヨレ１００が生じていれば、折り曲げ性も低下し、また液晶表示パネル３や回路ブロック４に対する接続部分に応力集中が生じやすくなる。
【０００８】
本発明は、このような技術的課題に基づいてなされたもので、配線部材のヨレを防止し、信頼性、作業性等を向上させることのできる電子機器、電子機器の組み立て方法を提供することを目的とする。
【０００９】
【課題を解決するための手段】
かかる目的のもと、本発明の電子機器は、上下に積層された２枚の基板と、２枚の基板どうしを電気的に接続する、可撓性を有した帯状の配線部材と、を備え、２枚の基板のうち少なくとも１枚が湾曲した形状とされている。そして、湾曲した形状の基板に接続することで配線部材に作用する応力を緩和する応力緩和部を備えることを特徴とする。
このような配線部材は、応力緩和部で応力が緩和され、配線部材にヨレ等が生じるのを抑制することができる。
また、応力緩和部で応力を緩和することで、配線部材の基板に対する接続部分に生じる応力も緩和できる。
応力緩和部としては、例えば、基板のいずれか一方に、基板上で折曲形状または湾曲形状とされたコネクタ部を形成し、配線部材を、コネクタ部の折曲形状または湾曲形状に対応して折曲または湾曲して接続する構成が採用できる。このとき、コネクタ部は、湾曲した形状の基板に対応した折曲形状または湾曲形状とすることもできる。
また応力緩和部として、他に、帯状の配線部材に、配線部材に作用する応力を緩和する方向に湾曲した変形部を形成することもできる。このような変形部を形成するには、配線部材に熱を加えて熱変形させたり、プレス等による加圧変形等が考えられる。このようにして変形部を形成することで、配線部材を単なる帯状ではなく、立体的な三次元形状とすることができる。
また、２枚の基板は、積層状態にあれば、これらが直接積層されたものだけでなく、他の基板や部品等が介在していても良い。
【００１０】
本発明は、三次元形状に湾曲した表示部を有する電子機器として捉えることもできる。このような電子機器は、表示部を構成する表示パネルが湾曲し、表示パネルを制御するパネル状の回路ブロックと表示パネルが、電子機器の外殻を形成するケースに収容されている。また、帯状の配線部材が、中間部をケース内で折り返した状態で、その両端部が表示パネルと回路ブロックにヒートシール等により接続され、双方を電気的に接続している。そして、この配線部材が表示パネルの湾曲部分に接続されることで配線部材に生じるたわみが、たわみ吸収部により吸収される構成となっている。
このような電子機器は、表示部側に開口した有底状のケースの内部に回路ブロックおよび表示パネルを収納した状態で、ケースの開口部分に三次元形状の表示部カバーを装着した時計を構成するのに好適である。もちろん、時計以外の様々な電子機器にも本発明を適用可能であるのは言うまでも無い。
【００１１】
たわみ吸収部としては、配線部材に、略球面状に湾曲した湾曲部を形成することができる。このような湾曲部は、配線部材に熱を加えて熱変形させたり、プレス等によって加圧変形することで形成される。
なお、たわみ吸収部は、配線部材のたわみを吸収することができるのであれば、その形成箇所を配線部材自体に限定するものではない。
【００１２】
この他にも、配線部材の端部を、湾曲した基板に対応した形状としたり、配線部材を蛇腹状や網状として面外方向への変形を容易とする構成を、応力緩和部やたわみ吸収部として採用することが可能である。
さらに、配線部材の、湾曲した基板側の端部を複数に分割したり、湾曲した基板に対応した形状にしたりすることも有効である。さらに、配線部材を途中で斜めに折り曲げることも有効である。
【００１３】
ここで言う「たわみ」とは、上述したような配線部材の中間部がケース内で折り返されるときに生じるたわみではなく、一端を湾曲した表示パネルに接続することで配線部材に生じる局所的なたわみである。つまり、ケース内で折り返される配線部材に生じる連続的なたわみに対し、これを不連続とするようなたわみを吸収するのである。このようなたわみ吸収部を特定するには、単なる従来と同様の帯状の配線部材で表示パネルと回路ブロックを接続した場合と、たわみの発生状況を比較すればよい。単なる帯状の配線部材に比較し、上記の湾曲部等を形成することで局所的なたわみが減少していれば、それはたわみ吸収部として機能しているのである。
【００１４】
本発明は、平面状の第一の回路パネルと湾曲した第二の回路パネルを有した電子機器の組み立て方法として捉えることもでき、この場合、第一の回路パネルに帯状の配線部材の一端を接続する工程と、配線部材を加熱し、配線部材の他端部を湾曲変形させる工程と、配線部材の他端を第二の回路パネルに接続する工程と、を有することを特徴とする。
このとき、配線部材を湾曲変形させる工程は、配線部材の他端を第二の回路パネルに接続する工程の前段で行うのが好ましいが、もちろん、後段で行う、つまり配線部材の両端を第一の回路パネル、第二の回路パネルに接続した後に、配線部材を湾曲変形させるようにしても良い。
なお、配線部材を湾曲変形させる工程では、配線部材の「他端」ではなく「他端部」を加熱するとの表現を用いているが、これは加熱する箇所が「他端」に限らず、「他端の近傍」をも含むことを指している。
【００１５】
【発明の実施の形態】
以下、添付図面に示す実施の形態に基づいてこの発明を詳細に説明する。
図１は、本実施の形態における腕時計２０の概略構成を示すものである。ここで、図９に示した従来の腕時計１と共通する構成については、同符号を付す。
この図１に示すように、腕時計２０は、ケース２内に、時刻等の情報を表示する液晶表示パネル（基板、表示部、表示パネル、第二の回路パネル）３と、この液晶表示パネル３を制御する回路ブロック４とを備えている。
【００１６】
液晶表示パネル３は、ポリエステル系の材料等を用いて形成されたフィルム状で、湾曲可能な程度の柔軟性（可撓性）を少なくとも備えている。液晶表示パネル３の背面側には、液晶表示パネル３に対して背面側から照明光を照射する図示しないＥＬパネルが設けられている。このような液晶表示パネル３は、その外周部の所定位置に、回路ブロック４と導通するため、配線パターンの各配線電極が露出したコネクタ部２１が形成されている。
これら液晶表示パネル３とＥＬパネル（図示無し）は、それぞれ中央部が開口した下部パネル枠５と上部パネル枠６との間に挟持されている。下部パネル枠５には、その上面側に、液晶表示パネル３を湾曲させるための複数の凸部や、湾曲面部分が形成されている。一方、上部パネル枠６は、所定の湾曲面形状に成形されている。これら下部パネル枠５と上部パネル枠６は、互いに係合するピン５ａとピン孔６ａを複数箇所に備えており、ピン５ａとピン孔６ａを係合させることで、液晶表示パネル３を、その外周部にて挟持し、湾曲した所定の形状に保持する。
【００１７】
回路ブロック４は、パネル状の回路基板（基板、第一の回路パネル）４ａ上にＩＣ４ｂ等の素子が実装されたもので、その外周部の所定位置に、液晶表示パネル３と導通するため、配線パターンの各配線電極が露出したコネクタ部２２が形成されている。このような回路ブロック４は、回路のせ台７上に保持されている。
【００１８】
そして、液晶表示パネル３およびＥＬパネル（図示無し）を保持した下部パネル枠５および上部パネル枠６と、回路ブロック４を保持した回路のせ台７は、モジュール固定板８に形成された係止爪８ａの先端部を下部パネル枠５に係止させることで、積層状態で一体に保持される。これら、積層されて一体のユニットとされた、下部パネル枠５、液晶表示パネル３、ＥＬパネル（図示無し）、上部パネル枠６と、回路ブロック４、回路のせ台７、モジュール固定板８により、腕時計２０のムーブメント９が構成されている。
【００１９】
このようなムーブメント９は、ケース２の表面側に形成された有底状の開口部１０内に収容される。
ケース２の開口部１０には、飾り枠１１ａを有した三次元形状のガラス（表示部カバー）１１が装着され、このガラス１１は、ムーブメント９の液晶表示パネル３を、その表示部分を透過露出させるように覆い、これによって時刻等の情報を表示する表示部が構成される。
なお、図１において、符号２３は、ケース２の側面に設けられた操作ボタンである。
【００２０】
さて、上記したような腕時計２０において、液晶表示パネル３のコネクタ部２１と、回路ブロック４のコネクタ部２２は、全体として帯状で、ヨレ防止機能を有した配線部材３０によって電気的に接続され、液晶表示パネル３への電源供給、制御信号の伝達等を行うようになっている。
このような配線部材３０は、全体として帯状で、本体部３０ａは可撓性を有したいわゆるフレキシブル・プリント基板（ＰＣＢ：Ｐｒｉｎｔｅｄ  Ｃｉｒｃｕｉｔ  Ｂｏａｒｄ）であり、その両端部にヒートシールコネクタ３０ｂ、３０ｃが予め一体に設けられている。配線部材３０は、両端部のヒートシールコネクタ３０ｂ、３０ｃを介し、液晶表示パネル３や回路ブロック４に接続される。以下の説明において、配線部材３０と表記した場合、基本的に、その両端部にヒートシールコネクタ３０ｂ、３０ｃを一体に備えたものを指す。
ヒートシールコネクタ３０ｂ、３０ｃは、配線部材３０の各配線と液晶表示パネル３や回路ブロック４のコネクタ部２１、２２の各配線（配線電極）とを１対１で接続するものである。ヒートシールコネクタ３０ｂ、３０ｃは、ポリエステルフィルム上に、導電性材料からなる配線パターンが形成され、この配線パターンが絶縁性を有した熱溶融性の樹脂で被覆されることで形成されている。このヒートシールコネクタ３０ｂ、３０ｃは、配線部材３０の両端部に予め溶着されている。配線部材３０の取付工程において、ヒートシールコネクタ３０ｂ、３０ｃの端部を液晶表示パネル３や回路ブロック４の所定位置に位置決めしてヒータで熱圧着すると、熱溶融性の樹脂が溶融して配線パターンが露出し、液晶表示パネル３や回路ブロック４のコネクタ部２１、２２配線電極と、配線部材３０の端部に設けられたヒートシールコネクタ３０ｂ、３０ｃの配線とが接続されるようになっている。
【００２１】
以下、ヨレ防止機能を有した配線部材３０について、複数の態様を示す。
図２に示す配線部材３０Ａは、回路ブロック４側の端部が、略Ｖ字状、あるいは略Ｕ字状の断面となるよう折り曲げられた状態で、回路ブロック４に接続されている。
図２（ｂ）に示すように、回路ブロック４の回路基板４ａ上において、配線部材３０Ａのヒートシールコネクタ３０ｂが接続されるコネクタ部２２は、応力緩和部、たわみ吸収部として機能するべく、曲折部２２ａを挟んでその両側２２ｂ、２２ｃが所定の角度をなしており、平面視すると略Ｖ字状に形成されている。
このような回路ブロック４のコネクタ部２２に対し、配線部材３０Ａを接続するときには、ヒートシールコネクタ３０ｃを、コネクタ部２２の形状に合わせて断面略Ｖ字状に曲げ、これをヒートツールで熱圧着する。
この場合、ヒートシールコネクタ３０ｃは、予め、コネクタ部２２の形状に合わせた断面形状に成形しておいてもよい。
【００２２】
上記では、配線部材３０Ａは、液晶表示パネル３に接続される側で液晶表示パネル３の湾曲形状に応じてヒートシールコネクタ３０ｂが湾曲しても、回路ブロック４に接続される側のヒートシールコネクタ３０ｃが、コネクタ部２２に対応して同様に略Ｖ字状に折り曲げられた状態となる。これにより、配線部材３０Ａ全体に張りが出たような状態となり、局所的なたわみ、応力の集中が抑えられてヨレの発生を抑えることができる。
ところで、コネクタ部２２を略Ｖ字状としているが、その角度は、液晶表示パネル３側の湾曲等に応じ、適宜設定すればよい。また、コネクタ部２２を、略Ｖ字状ではなく略Ｕ字状とすることも可能である。しかし、ヒートシール工程において、ヒートシールコネクタ３０ｃをコネクタ部２２に位置決めしたり、ヒートツールを押し当てたりするときには、コネクタ部２２を略Ｖ字状としたほうが、曲折部２２ａの両側２２ｂ、２２ｃが直線状であるため、作業性に優れる、と思われる。
これにより、配線部材３０Ａのヨレを抑制するとともに、湾曲した液晶表示パネル３に一端が接続されても、他端側ではヒートシールコネクタ３０ｃを回路ブロック４のコネクタ部２２に容易に接続することができる。
【００２３】
図３に示す配線部材３０Ｂは、図３（ａ）に示すように、元々、平坦な帯状であった、液晶表示パネル３に接続される側のヒートシールコネクタ３０ｂを、図３（ｂ）に示すように、加熱することで湾曲変形（カール）させるものである。
これには、配線部材３０Ｂの一端を回路ブロック４に接続した後、配線部材３０Ｂを、液晶表示パネル３のコネクタ部２１にヒートシールする工程で、ヒートガン等の加熱手段で温風（熱風）等を配線部材３０Ｂの他端部のヒートシールコネクタ３０ｂの近傍に当てることによって加熱する。すると、樹脂が主材料であるヒートシールコネクタ３０ｂやその周囲の本体部３０ａがカールし、湾曲変形部（湾曲部、変形部）３１が形成される。この後、応力緩和部、たわみ吸収部として機能する湾曲変形部３１が形成された配線部材３０Ｂを、液晶表示パネル３のコネクタ部２１にヒートシールして接続するのである。
このとき、ヒートシールコネクタ３０ｂやその周囲の本体部３０ａを形成する材料の特性等により、加熱時にカールする方向が決まっているのが通常であるため、そのカールの方向が、液晶表示パネル３のコネクタ部２１における湾曲方向と合致するよう、配線部材３０Ｂを製作するのが好ましい。
【００２４】
このように、配線部材３０Ｂを、湾曲した液晶表示パネル３の側でカールさせることにより、液晶表示パネル３のコネクタ部２１における湾曲方向に容易に沿わせることが可能となり、配線部材３０Ｂを、容易に、応力が緩和される立体的な三次元形状とすることができる。これにより、配線部材３０Ｂのヒートシールコネクタ３０ｂと液晶表示パネル３のコネクタ部２１との接続部分に作用する応力を軽減することができ、ヨレを抑制できる。また、湾曲した液晶表示パネル３のコネクタ部２１に対するヒートシールコネクタ３０ｂの接続等が容易に行えるようになる。
なお、ヒートガン等による配線部材３０Ｂの加熱時間により、配線部材３０Ｂのカールの度合いが変わることが予測されるため、加熱時間、加熱温度等の条件は予め行ったテスト等に基づいて適切にコントロールするのが望ましい。
【００２５】
また、ヒートガンで配線部材３０Ｂを加熱するタイミングは、配線部材３０Ｂを液晶表示パネル３のコネクタ部２１にヒートシールする工程に限らず、ヒートシールを行って配線部材３０Ｂのヒートシールコネクタ３０ｂを液晶表示パネル３のコネクタ部２１にヒートシールした後であっても良い。
このようにすれば、ヒートシールコネクタ３０ｂを湾曲した液晶表示パネル３のコネクタ部２１に接続することで配線部材３０Ｂに応力が作用していても、配線部材３０Ｂを加熱して熱変形させたときに、その変形方向は、前記応力を解放する方向になりやすく、したがって、ヨレ防止効果は有効に生じやすい。
【００２６】
図４に示す配線部材３０Ｃは、応力緩和部、たわみ吸収部として機能する、蛇腹状に折り曲げられた蛇腹部３３を有している。この蛇腹部３３は、配線が延びる方向、つまり一方のヒートシールコネクタ３０ｂと他方のヒートシールコネクタ３０ｃを結ぶ方向に対し、所定の角度（例えば９０度）をなす線に沿って、本体部３０ａが交互に折り曲げられることで形成されている。
【００２７】
これにより、配線部材３０Ｃは、折り曲げ線３３ａが連続する方向、つまり配線部材３０Ｃの幅方向においては高い剛性を有することになり、ヨレの発生を防止できる。
また、この蛇腹部３３により、液晶表示パネル３と回路ブロック４に両端部を接続した状態で配線部材３０Ｃを折り曲げたり折り畳んだりしたときにも、蛇腹部３３で場所による変位のばらつきを吸収でき、特定箇所に応力が集中するのを防止できる。したがって、配線部材３０Ｃを折り曲げたり折り畳んだりするときの作業性が向上でき、また配線部材３０Ｃに無理な力がかかって断線等が生じる可能性を低減できる。
このような蛇腹部３３は、その折り曲げ線３３ａの方向を、前記の９０度に限定するものではなく、液晶表示パネル３と回路ブロック４に両端部を接続した状態で、ケース２に収納するために折り曲げたり折り畳んだりする方向等に応じ、適宜折り曲げ線３３ａの角度（方向）を変えることができる。
【００２８】
図５に示す配線部材３０Ｄは、応力緩和部、たわみ吸収部として機能するべく、中間部３４において、配線が延びる方向、つまり一方のヒートシールコネクタ３０ｂと他方のヒートシールコネクタ３０ｃを結ぶ方向に対し、所定の角度（例えば４５度）で折り曲げられている。
このような構成では、湾曲した液晶表示パネル３に一方のヒートシールコネクタ３０ｂを接続すると、これに応じて中間部３４に対し一方の側３５がその断面方向（配線部材３０Ｄの幅方向）において湾曲線を描くように湾曲することになる。これにより、この一方の側３５において、配線部材３０Ｄが断面略カマボコ状となるので、ヨレが生じにくくなる。しかも、中間部３４の折り曲げ部分では、折り曲げ方向が斜めであるため、この一方の側３５における配線部材３０Ｄの幅方向に沿った曲率半径よりも、中間部３４の折り曲げ線に沿った方向における曲率半径が大きくなる。これにより、中間部３４に対し、回路ブロック４に接続される側３６でも、ヨレが生じにくくなるのである。
【００２９】
図６に示す配線部材３０Ｅは、両端部のヒートシールコネクタ３０ｂ、３０ｃ間で、本体部３０ａに、応力緩和部、たわみ吸収部として機能する多数の孔あるいはスリット３７が形成されている。
これにより、配線部材３０Ｅは、いわゆる網のように容易に伸び、湾曲面を形成することができるので、柔軟性が大幅に向上する。
すると、配線部材３０Ｄのヒートシールコネクタ３０ｂを、湾曲した液晶表示パネル３のコネクタ部２１に合わせて湾曲させると、本体部３０ａが高い柔軟性を有しているので、ヒートシールコネクタ３０ｂを容易に湾曲させることができる。
【００３０】
これにより、配線部材３０Ｅのヒートシールコネクタ３０ｂと液晶表示パネル３のコネクタ部２１との接続部分に作用する応力を軽減することができ、ヨレを抑制できる。また、配線部材３０Ｅが柔軟になるので、湾曲した液晶表示パネル３のコネクタ部２１に合わせて配線部材３０Ｅを湾曲させるとき等、配線部材３０Ｅが発する抵抗力も低く、配線部材３０Ｅの接続等も容易に行える。
さらに、ヒートシールコネクタ３０ｂを湾曲した液晶表示パネル３のコネクタ部２１に接続することで配線部材３０Ｅに応力が作用していても、配線部材３０Ｅは柔軟であるために容易に変形し、しかもその変形方向は、前記応力を解放する方向になるため、ヨレ防止効果は有効に生じやすい。
【００３１】
図７に示す配線部材３０Ｆは、湾曲した液晶表示パネル３に接続される側に、応力緩和部、たわみ吸収部として機能する、所定長のスリット３８が１以上の形成されたものである。
これにより、湾曲した液晶表示パネル３に接続される側において、配線部材３０Ｆのヒートシールコネクタ３０ｂおよび本体部３０ａは複数の帯状の部分３８ａ、３８ｂ、３８ｃに分割され、しかも、それぞれの幅は小さくなっている。
配線部材３０Ｆは、それぞれの帯状の部分３８ａ、３８ｂ、３８ｃは幅が狭いため、全体として液晶表示パネル３に合わせて湾曲させても、個々の帯状の部分３８ａ、３８ｂ、３８ｃに作用する応力は小さく、ヨレが生じにくくなる。また、液晶表示パネル３側のコネクタ部２１も、複数の帯状の部分３８ａ、３８ｂ、３８ｃに合わせて複数に分割することも可能である。これにより、分割されたコネクタ部２１のそれぞれを直線状とすることもでき、作業性を向上させる余地もある。
【００３２】
さらには、上記したような配線部材３０Ｆにおいて、帯状の部分３８ａ、３８ｂ、３８ｃの長さを変えるような構成とすることもできる。
この場合、液晶表示パネル３側のコネクタ部２１の位置も、同一線上に並べるように配置する必要がなくなり、設計上の自由度が高まる。
【００３３】
図８に示す配線部材３０Ｇは、図８（ａ）に示すように、その一端のヒートシールコネクタ３０ｂの端部３９の形状を、湾曲した液晶表示パネル３のコネクタ部２１に合わせ、中央部が凹んだ湾曲状とし、応力緩和部、たわみ吸収部として機能させるものである。
このような配線部材３０Ｇでは、図８（ｂ）に示すように、ヒートシールコネクタ３０ｂの端部３９を湾曲した液晶表示パネル３のコネクタ部２１に合わせることで、配線部材３０Ｇのヒートシールコネクタ３０ｂ側を容易にカマボコ状に湾曲させることができる。したがって、配線部材３０Ｇのヨレを有効に防止できるのである。
【００３４】
上述したような配線部材３０Ａ〜３０Ｇによれば、配線部材３０Ａ〜３０Ｇにヨレ防止機能を有しているので、一端を湾曲した液晶表示パネル３に接続し、これをケース２内に折り曲げて収納しても、局所的なたわみや応力集中を低減してヨレが発生するのを防止することができる。したがって、配線部材３０Ａ〜３０Ｇと液晶表示パネル３の接続部分に集中する応力を低減することができ、接続不良等が生じるのを防止できる。また、このような効果が得られる構成を採用することで、今までよりも一つの配線部材３０Ａ〜３０Ｇで接続する端子の数を増やすことが可能となる。
また、配線部材３０Ａ〜３０Ｇのヨレ発生を防止することで、これを液晶表示パネル３、回路ブロック４に接続した後に、折り曲げてケース２の開口部１０内に収めるに際し、容易に折り曲げることができる。その結果、作業性が向上し、生産効率を高めることができる。特に、蛇腹状、網状とした配線部材３０Ｃ、３０Ｅでは、折り曲げに対する柔軟性（許容度）が高まるので、その効果は一層顕著なものとなる。
さらに、湾曲した液晶表示パネル３のコネクタ部２１に対する接続構造を工夫した配線部材３０Ｆ、３０Ｇによれば、これを湾曲した液晶表示パネル３に接続するに際し、その位置決め固定やヒートシール作業を容易に行うことが可能となり、作業性を向上させるとともに、加工不良が生じる可能性を低減できる。
【００３５】
なお、上記実施の形態では、ＰＣＢからなる配線部材３０の本体部３０ａとヒートシールコネクタ３０ｂ、３０ｃとを、予め一体に溶着されているものの、元々は別々の部品である構成としたが、配線部材３０全体をヒートシール材で形成することもできる。
また、配線部材３０Ｂでは、液晶表示パネル３に接続する工程、あるいは接続してから、熱を加えて湾曲させる構成としたが、これに限るものではなく、配線部材３０の全体を予め三次元曲面形状に成形しておくことも可能である。
加えて、例えば、配線部材３０の液晶表示パネル３側に対する接続部分を工夫した配線部材３０Ｂ、３０Ｆ、３０Ｇ等と、中間部分の本体部３０ａに工夫を加えた配線部材３０Ｃ、３０Ｄ、３０Ｅ等と、回路ブロック４側に対する接続部分を工夫した配線部材３０Ａ等の構成を、適宜取捨選択して組み合わせることはもちろん有効である。
【００３６】
また、図１に示した構成において、腕時計２０の全体構成を具体的に示したが、本発明のポイントと直接関与しない部分については、他のいかなる構成に変更してもなんら支障はない。例えば、液晶表示パネル３だけでなく、回路ブロック４を湾曲させるような構成としても良いし、また液晶表示パネル３が平面状で、回路ブロック４が湾曲しているような場合であっても、本発明を有効に適用できる。
また、湾曲した回路基板を少なくとも１枚備えるのであれば、デジタル式の腕時計２０に限らず、アナログ式の時計、その他、ＰＤＡ等をはじめとする各種の電子機器等にも本発明を適用することが可能である。もちろん、そのような電子機器は、腕時計型に限らず、様々な形態とすることが可能である。
これ以外にも、本発明の主旨を逸脱しない限り、上記実施の形態で挙げた構成を取捨選択したり、他の構成に適宜変更することが可能である。
【００３７】
【発明の効果】
以上説明したように、本発明によれば、上下に積層され、２枚のうち少なくとも１枚が湾曲した基板を、可撓性を有した帯状の配線部材で接続するに際し、応力緩和部で応力を緩和することで、配線部材にヨレ等が生じるのを抑制することができ、また、配線部材の基板に対する接続部分に生じる応力も緩和できる。その結果、ヨレによる断線等の接続不良が生じるのを防止でき、電子機器の信頼性を向上させることができる。また、組み立て時における、配線部材の位置決め固定やヒートシール作業、ケース内への収納等、各種作業性を向上させることができる。
また、応力緩和部を形成するには、例えば配線部材に熱を加えて熱変形させればよく、配線部材を、容易に、応力が緩和される立体的な三次元形状とすることができる。
【００３８】
また、本発明の、回路ブロックおよび表示パネルを収納したケースの開口部分に三次元形状の表示部カバーを装着した構成の時計等として好適な電子機器によれば、配線部材が表示パネルの湾曲部分にヒートシール等で接続されることで配線部材に生じるたわみを、たわみ吸収部で吸収することにより、配線部材にヨレ等が生じるのを抑制することができ、その結果、接続不良等が生じるのを防止でき、電子機器の信頼性を向上させることができ、また、組み立て時における作業性を向上させることができる。
【００３９】
さらに、本発明では、電子機器を組み立てるに際し、平面状の第一の回路パネルと湾曲した第二の回路パネルを接続する配線部材の他端部を加熱し、配線部材を湾曲変形させることで、湾曲した第二の回路パネルに接続したときに配線部材が受ける応力を緩和することができる。その結果、配線部材と回路パネルの接続不良等が生じるのを防止でき、組み立てられた電子機器の信頼性を向上させることができ、また、組み立て時における作業性を向上させることができる。
【図面の簡単な説明】
【図１】本実施の形態における時計の全体構成を示す斜視展開図である。
【図２】配線部材を回路ブロックに折曲して接続した構造の例を示す斜視図である。
【図３】配線部材を加熱して湾曲させた構造の例を示す斜視図である。
【図４】配線部材を蛇腹状とした例を示す斜視図である。
【図５】配線部材を中間部で折り曲げ、湾曲させた例を示す斜視図である。
【図６】配線部材を網状とした例を示す斜視図である。
【図７】配線部材の端部を分割した例を示す斜視図である。
【図８】配線部材の端部を湾曲形状とすることで、液晶表示パネルに湾曲させて接続した例を示す斜視図である。
【図９】従来の時計の全体構成を示す斜視展開図である。
【符号の説明】
２…ケース、
３…液晶表示パネル（基板、表示部、表示パネル、第二の回路パネル）、
４…回路ブロック、
４ａ…回路基板（基板、第一の回路パネル）、
１０…開口部、１１…ガラス（表示部カバー）、
２０…腕時計
、２１…コネクタ部、
２２…コネクタ部、
２２ａ…曲折部、
３０、３０Ａ、３０Ｂ、３０Ｃ、３０Ｄ、３０Ｅ、３０Ｆ、３０Ｇ…配線部材、
３０ａ…本体部、
３０ｂ、３０ｃ…ヒートシールコネクタ、
３１…湾曲変形部（湾曲部、変形部）、
３３…蛇腹部、
３８…スリット、
３８ａ、３８ｂ、３８ｃ…帯状の部分、
３９…端部、
１００…ヨレ
【図１】
2004253559.tif 000003
【図２】
2004253559.tif 000004
【図３】
2004253559.tif 000005
【図４】
2004253559.tif 000006
【図５】
2004253559.tif 000007
【図６】
2004253559.tif 000008
【図７】
2004253559.tif 000009
【図８】
2004253559.tif 000010
【図９】
2004253559.tif 000011